(57)【要約】【課題】本発明は、開き戸の閉じたとき開き戸の下端と床との間の隙間を、自動的に閉鎖する隙間遮蔽装置で、故障が少なく、また故障した場合も容易に修理ができ、かつ簡単に取り付けができる開き戸の隙間遮蔽装置を提供する。【解決手段】開き戸１の下部にケース２を取り付け、該ケース２に上下自在に遮蔽部材３を横設し、吊元の竪枠４に当接し、かつ進退自在の出没子５とこれに連接するスライドパイプ６をケース２に一端を固定したガイドパイプ７に外嵌し、コイルばね８で常時スライドパイプ６を開き戸１の側面から突き出すように付勢されており、開き戸１を閉じたときスライドパイプ６に連接する出没子５が退入するのに連動してスライドパイプ６が移動してスライドパイプ６に設けたガイド１０が移動し、遮蔽部材３が重力降下して開き戸１の下端と床１１との隙間を塞ぐ。【選択図】        図１
2004316233.tif 000002
【特許請求の範囲】
【請求項１】
開き戸（１）の下部にケース（２）を取り付け、該ケース（２）に上下自在に遮蔽部材（３）を横設し、さらに、吊元の竪枠（４）に当接し、かつ進退自在の出没子（５）を設け、該出没子（５）に連接するスライドパイプ（６）をケース（２）に一端を固定したガイドパイプ（７）にコイルばね（８）を嵌装しておいて外嵌し、該コイルばね（８）で常時スライドパイプ（６）を開き戸（１）の側面から突出方向に突き出すように付勢されており、さらに、下端に遮蔽部材（３）を取り付けた遮蔽部材固定枠（９）をスライドパイプ（６）に設けたガイド（１０）の傾斜部に垂下し、開き戸（１）を閉じたときスライドパイプ（６）に連接する出没子（５）の吊元竪枠（４）への当接で出没子（５）が退入するのに連動してスライドパイプ（６）が移動してスライドパイプ（６）に設けたガイド（１０）が移動し、遮蔽部材（３）が重力降下して遮蔽部材（３）で開き戸（１）の下端と床（１１）との隙間を塞ぐ開き戸（１）の隙間遮蔽装置。
【発明の詳細な説明】
【０００１】
【発明が属する技術分野】
本発明は、開き戸の閉じたとき開き戸の下端と床との間の隙間を、自動的に閉鎖する隙間遮蔽装置に関する。
【０００２】
【従来の技術】
従来、開き戸は吊元の蝶番を軸芯にして、開き戸で円を描くので開き戸の下端が床に擦れないように、開き戸の下端を床と隙間を設けて取付けている。その隙間から空気や音や光や匂いや温度などが漏れ出すのを防ぐため、沓摺りを設けて対応しているが、沓摺りを設けると床に段差が生じるため、バリヤフリーの建物では段差の生じる沓摺りを設けることが好ましく無く、そのため開き戸を開けるときは床に擦れないよう隙間を設け、閉じたときに隙間が塞がる開き戸が望まれている。この隙間遮蔽装置に関する提案が種々行われている。
【０００３】
従来の隙間遮蔽装置として、実開昭５５−１３７２９号公報記載の発明は、ドアの下端部に取り付けた本体フレーム内に装着した可動プレートが中央部分にスプリングを介したプッシュロッドの先端をドア枠に押し当てられる事によりスプリングが湾曲し軸により軸着した上記可動プレートが下方に押し下げられ床面に密着させる事ができる防音気密装置である。
【０００４】
また、可撓性ベルトを使用したものに、実開平７−１５９９１号公報記載の提案がある。ドアー下端部のスカート部内に、弾性凹自在となした横長体の弾性閉鎖部となすドアーシャッターを横設し、さらに、スカート部内に、ドアーの蝶番側の建物側のドアー取り付け枠に先端を臨ませて、自由状態においてスカート部から先端を突き出し、かつ、取り付け枠の方向に付勢された作動ピンを設け、その作動ピンとドアーシャッターを、スライドバーと可撓性ベルトによって連結して、作動ピンの進退作動とドアーシャッターの上下作動を連動構造になし、ドアーを閉じて作動ピンが取り付け枠に接触して後退すると、ドアーシャッターが重力降下するものである。
【０００５】
また、特開平８−１９９９３０号公報記載の提案は、ドアのドア締め動作に伴って、該ドア内に押し戻されるロッドを有する押動手段と、ドア内に引き込まれる向きに常時付勢されている当設部材を有する塞ぎ手段とを備え、押動手段に備えられている当接部材と、塞ぎ手段に備えられている当接部材の両方又はいずれか一方に傾斜面が備えており、このこの傾斜面において押動手段と塞ぎ手段との当接部材が接して設けられているものである。
【０００６】
【発明が解決しようとする課題】
可動プレートが中央部分にスプリングを介して可動プレートを押し下げるものにあっては、湾曲したスプリングが可動プレートのほぼ中央の１ヶ所で可動プレートを押し下げるため、経年変化で部材が磨耗して軸芯が変位すると、可動プレートが水平に、かつ滑らかに上下に作動しなくなることが予想される。＜ＢＲ＞
【０００７】
可撓性ベルトを使用したものにあっては、ドアーシャッターを戸先側に寄った位置の２ヶ所で可撓性ベルトに連結し、かつ可撓性ベルトを夫々２個の都合四個の支承ローラに支承されている構成で、そのためドアーシャッターの支持が偏芯しており、かつスライドバーの横方向の動きを四個の支承ローラで制限してドアーシャッターを上下動にするため、経年変化で部材が磨耗すると、水平に上下動しなくなることが予想されるのは、前記と同様である。
【０００８】
ドア内に押し戻されるロッドを有するものにあっては、ドア締め動作に伴ってドア内に押し戻されるロッドに備えられている当接部材とドア内に引き込まれる向きに常時付勢されている塞ぎ手段に備えられている当接部材が傾斜面において接して設けられており、この傾斜面でロッドの水平方向の動きを、圧縮コイルバネで付勢された取り付けロッドが比較的側部に偏った位置に設けられているので、上下動に変える調整が微妙で、部品の磨耗で、バランスが壊れ易すく、水平に上下動しなくなる恐れがある。
【０００９】
本発明は、開き戸の閉じた時、開き戸の下端の隙間を遮蔽し、開き戸を開ける時、開き戸の下端に隙間が生じて、開き戸の下端が床を擦ることが無く、また単純な機構で構成して故障が少なく、故障した場合も容易に修理ができ、かつ簡単に取り付けができる開き戸の隙間遮蔽装置を提供することを目的とする。
【００１０】
【課題を解決するための手段】
本発明の開き戸の隙間遮蔽装置は、叙上の目的を達成するため、開き戸１の下部にケース２を取り付け、該ケース２に上下自在に遮蔽部材３を横設し、さらに、吊元の竪枠４に当接し、かつ進退自在の出没子５を設け、該出没子５に連接するスライドパイプ６をケース２に一端を固定したガイドパイプ７にコイルばね８を嵌装しておいて外嵌し、該コイルばね８で常時スライドパイプ６を開き戸１の側面から突出方向に突き出すように付勢されており、さらに、下端に遮蔽部材３を取り付けた遮蔽部材固定枠９をスライドパイプ６に設けたガイド１０の傾斜部に垂下し、開き戸１を閉じるときスライドパイプ６に連接する出没子５の吊元竪枠４への当接で出没子５が退入するのに連動してスライドパイプ６が移動し、スライドパイプ６の移動に伴い遮蔽部材３が重力降下して開き戸１の下端と床１１との隙間を塞ぐ構成としている。
【００１１】
【発明の実施の形態】
本発明を図１３の隙間遮蔽装置の一部切欠き分解斜視図の他、図１、図２、図３、図４、図５、図６、図７、図８、図９、図１０、図１１、図１２、図１４、図１５、図１６で説明する。開き戸１は、その一側の上下部が蝶番１７で支持され、上記蝶番１７を中心として、開閉し得るようになっている。開き戸１の下部に巾方向にケース２が挿入され、このケース２はネジ１６で開き戸１に固定されている。さらに、吊元の竪枠４に当接し、かつ進退自在の出没子５を設け、該出没子５に連接するスライドパイプ６をケース２に一端を固定したガイドパイプ７にコイルばね８を嵌装しておいて外嵌する。ガイドパイプ７はスライドパイプ６にスライド自由に挿入されており、該コイルばね８で常時スライドパイプ６が開き戸１の側面から突出方向に突き出すように付勢されている。さらに、下端に遮蔽部材３を取り付けた遮蔽部材固定枠９をスライドパイプ６に設けたガイド１０の傾斜部に垂下する。ガイド１０は一辺が傾斜部を有する台形の板状体で、このものが遮蔽部材３を左右２ヶ所で均等に支持し、開き戸１を閉じたときスライドパイプ６に連接する出没子５の吊元竪枠４への当接で出没子５が退入するのに連動してスライドパイプ６が移動し、移動に伴い遮蔽部材３が重力降下して開き戸１の下端と床１１との隙間を塞ぐ開き戸１の隙間遮蔽装置である。
【００１２】
ケース２は、開き戸１の下部に内装し下面が開方した箱体で、材質はアルミニューム、スチール、ステンレスなど何れでも良い。ケース２の長さは開き戸１の竪框２４の内側に納まる長さとし、巾は開き戸１の厚さより表面仕上材の厚さを差し引いた巾とし、高さは、開き戸１が開いている時、スライドパイプ６に設けたガイド１０に垂下した遮蔽部材３が開き戸１の内側に納まり、かつ開き戸１が閉じた時、遮蔽部材固定枠９の上部の水平部が当接する高さとする。ケース２の上面にケース２を開き戸１に固定するネジ穴１５を２ヶ所設けるがケース２の長さにより、増やしても良い。開き戸１の戸先側になるケース２の側面の上辺の巾方向の中央にビス穴２５を設け、吊元側になるケース２の側面の上辺の巾方向の中央に貫通孔２６を設ける。該貫通孔２６の径はスライドパイプ６の径より小さく、かつ出没子５の径より大きい径とする。このビス穴２５と貫通孔２６の中心位置は、巾方向と高さ方向を同位置とする。さらに、ケース２の上記の両側面に溝１４を設ける。溝１４は断面Ｔ字形の遮蔽部材固定枠９の下部の垂直部と遮蔽部材３が溝１４に沿って上下に滑動するように、遊び分加えた巾と長さとし、両側面の溝１４の位置は、ケース２の巾のほぼ中央の位置とする。
【００１３】
スライドパイプ６もガイドパイプ７も共に金属管であって、材質はアルミニューム、スチール、ステンレスなど何れでも良い。スライドパイプ６をガイドパイプ７にスライド自由に外嵌し、スライドパイプ６の吊元側に雄ネジ１９を設け、反対側の戸先側からガイドパイプ７にコイルばね８を嵌装しておいてスライドパイプ６に挿入する。スライドパイプ６とガイドパイプ７のケース２への取り付けは、該雄ネジ１９をケース２の貫通孔２６に挿入し、コイルばね８を押圧しながらガイドパイプ７の芯をビス穴２５に合わせ、開き戸１の戸先側の竪框２４に設けた孔２３からビス２２を螺入して、ガイドパイプ７を固定する。このスライドパイプ６とガイドパイプ７のケース２への取り付ける時、遮蔽部材３を支持杆１３を介して、スライドパイプ６に設けたガイド１０に垂下した状態で取り付ける。
【００１４】
出没子５は、スライドパイプ６の吊元側に設けた雄ネジ１９に螺入して取り付ける金属製の袋ナットで、開き戸１の開け閉めで竪枠４に当接するので、竪枠４を傷めないように、端面を曲面加工してある。出没子５の径は開き戸１の厚さが２５ｍｍ〜３０ｍｍなので７ｍｍ〜１２ｍｍが適当である。スライドパイプ６への取り付けは図１０に示すように、スライドパイプに設けた雌ネジ１８に雄ネジ１９を螺入して、該雄ネジ１９に出没子５を螺着する。また図１１に示すように、スライドパイプ６に嵌合するようにボルト状に加工した雄ネジ１９に螺着してもよい。また出没子５の突出寸法を調整するために、図１２に示すように、雄ネジ１９にナット２１を螺着しておいて出没子５を螺着する所謂ダブルナットとしても良い。
【００１５】
ガイド１０を図４の開き戸が開いた状態の隙間遮蔽装置の開き戸の巾方向の縦断面図、図７の開き戸が閉じた状態の隙間遮蔽装置の開き戸の巾方向の縦断面図で説明する。開き戸１が開いた状態では、図４に示すように、出没子５はコイルばね８に押圧され、開き戸１の吊元側の竪框２４より突出している。この時点では、遮蔽部材３を垂下する支持杆１３はガイドの傾斜部の上辺に位置している。開き戸１が閉じた状態では、図７に示すように、出没子５が吊元の竪枠４に当接して退入し、出没子５に連接しているスライドパイプ６とスライドパイプ６に設けられたガイド１０が移動し、遮蔽部材３が重力降下し、遮蔽部材３を垂下する支持杆１３はガイドの傾斜部の下辺に移動し、遮蔽部材３が床１１との隙間を遮蔽する。
【００１６】
ガイド１０は図１５に示すように、一辺が傾斜部を有する台形の板状体で、材質はアルミニューム、スチール、ステンレスなど何れでも良く、又硬質塩ビなどの合成樹脂板でも良い。また、図１６に示すように、折れ釘状の棒状体でも良い。通常、開き戸１の下端と床１１との隙間は１０ｍｍなので、出没子５の出寸法も１０ｍｍとする。そのため、ガイド１０の傾斜部とスライドパイプ６との角度は通常４５度であるが、角度を変えることにより、出没子５の退入量に対して、遮蔽部材の下がり量を調整することが出来る。例えば角度が４５度より大きい場合は退入量に対して、下がり量が大きくなり、角度が４５度より小さいと退入量に対して、下がり量が小さくなる。
【００１７】
遮蔽部材固定枠９は、断面Ｔ字形で、上部の水平部の長さはケース２の内法寸法の長さとし、下部の垂直部の長さは開き戸１の巾と同じ長さとする。材質はアルミニューム、スチール、ステンレスなど何れでも良く、又硬質塩ビなどの合成樹脂でも良い。開き戸１が開いている時、即ちコイルばね８がスライドパイプ６を押圧している時は、遮蔽部材固定枠９の上部の水平部が吊元側のケース２に当接し、また開き戸１が閉じる時、上部の水平部が戸先側のケース２に当接して、溝１４に沿って遮蔽部材３が上下に滑動する。
【００１８】
支持杆１３は、図１５の隙間遮蔽装置のガイド取付け部の一部切欠き要部拡大斜視図で示すように、遮蔽部材固定枠９をガイド１０に垂下するためのもので、材質はアルミニューム、スチール、ステンレスなど何れでも良く、断面Ｔ字形の遮蔽部材固定枠９の上部の水平部に２枚の矩形の板片を立設し、板片の上辺中央で、橋架した棒状体である。これを遮蔽部材固定枠９の上部に２ヶ所設け、開き戸１が開いているとき、ガイド１０の傾斜部の上辺に支持杆１３が位置するように、取り付ける。また、図１６の隙間遮蔽装置の別のガイド取付け部の一部切欠き要部拡大斜視図で示すように、コの字状に折り曲げた棒状体でも良い。
【００１９】
遮蔽部材３は、開き戸１の巾と同じ長さの板状体で、材質はゴムや合成ゴムや、軟質合成樹脂製で、遮蔽部材固定枠９に接着剤もしくはビスで固定する。
【００２０】
【実施例】
実施例を図１の開き戸が開いた状態の隙間遮蔽装置を示す一部切欠き斜視図、図４の開き戸１が開いた状態の隙間遮蔽装置の開き戸１の巾方向の縦断面図、図５の開き戸１が開いた状態の隙間遮蔽装置の開き戸１の厚さ方向の縦断面図、図１３の隙間遮蔽装置の一部切欠き分解斜視図で説明する。開き戸１の巾は８００ｍｍで、厚さが３０ｍｍである。この場合のケース２は左右の竪框の寸法３０ｍｍを合わせて６０ｍｍを差し引いた長さの７４０ｍｍで、巾は開き戸１の仕上寸法を差し引いた２０ｍｍ、高さは５０ｍｍである。
【００２１】
スライドパイプ６もガイドパイプ７も共にスチール製であって、スライドパイプ６の外径は１５ｍｍで長さはコイルばね８の伸びた時の寸法６０ｍｍを差し引いた６８０ｍｍで、ガイドパイプ７の外径は１２ｍｍで、長さは６００ｍｍである。
【００２２】
断面Ｔ字形の遮蔽部材固定枠９の上部の水平部の長さはケース２に収まる寸法７３５ｍｍで巾１５ｍｍとし、遮蔽部材固定枠９の下部の垂直部の長さは、開き戸の巾と同じ長さの８００ｍｍで、下がり寸法は１５ｍｍで、この部分に軟質合成樹脂製の遮蔽部材３をビス止めする。
【００２３】
開き戸１に本発明の隙間遮蔽装置の取り付けは、開き戸１の下部にケース２の挿入する溝を設け、開き戸１吊元側の竪框２４に出没子５を挿入する孔と戸先側の竪框２４にガイドパイプ７を固定するビス２２を螺入する孔２３を設ける。次いで、ガイドパイプ７にコイルばね８を嵌装しておいて、ガイドパイプ７をスライドパイプ６に挿入し、次いでスライドパイプ６の雄ネジ１９をケース２の貫通孔２６に挿入し、コイルばね８を押圧しながらガイドパイプ７の芯をビス穴２５に合わせ、開き戸１の戸先側の竪框２４に設けた孔２３からビス２２を螺入して、ガイドパイプ７を固定する。このスライドパイプ６とガイドパイプ７のケース２への取り付ける時、遮蔽部材３を支持杆１３を介して、スライドパイプ６に設けたガイド１０に垂下した状態で取り付ける。以上で隙間遮蔽装置の取り付けが完了する。
【００２４】
【発明の効果】
ガイドパイプ７とスライドパイプ６と出没子５とコイルばね８の軸心が一直線なので、出没子５の退入する力とコイルばね８の出没子５を側面から突出方向に突き出す力が出没子５に連接するスライドパイプ６に無理無く伝わる構成で、さらに出没子５の退入に連動してスライドパイプ６に設けたガイド１０の移動で遮蔽部材３が重力降下する単純な構成なので、故障がし難い効果があり、さらに加工、組立て、取り付けが容易である効果がある。当然既存の開き戸１に本発明の隙間遮蔽装置の取り付けるのは容易に出来る効果がある。また、構成が単純なので、隙間遮蔽装置を小さく設定できる効果がある。
【００２５】
出没子５をスライドパイプ６とガイドパイプ７を取り付けてから取り付けるので、組み立てが容易に出来る効果がある。また雄ネジ１９にナット２１を螺着しておいて出没子５をダブルナットで螺着することにより、出没子５の出寸法を調整することが出来る効果がある。また、ガイドの傾斜部の角度を変えることにより、出没子５の退入量に対して、遮蔽部材の下がり量を調整することができる効果がある。
【００２６】
遮蔽部材固定枠９は、断面Ｔ字形で、上部の水平部の長さはケース２の内法寸法の長さとし、下部の垂直部の長さは開き戸１の巾と同じ長さとすることで、ケース２の長さに拘わらず、また開き戸１の強度に影響の有る竪框２４を欠損せずに遮蔽部材３の長さを開き戸１の巾とする事ができる効果がある。また、遮蔽部材３が軟質であることと、ガイド１０に垂下して取付けてあるので、床１１の小さな勾配に馴染む効果がある。
【図面の簡単な説明】
【図１】開き戸が開いた状態の隙間遮蔽装置を示す一部切欠き斜視図である。
【図２】開き戸が閉じた状態の隙間遮蔽装置を示す一部切欠き斜視図である。
【図３】開き戸が開いた状態の吊元側の平断面図である。
【図４】開き戸が開いた状態の隙間遮蔽装置の開き戸の巾方向の縦断面図である。
【図５】開き戸が開いた状態の隙間遮蔽装置の開き戸の厚さ方向の縦断面図である。
【図６】開き戸が閉じた状態の隙間遮蔽装置の吊元側の平断面図である。
【図７】開き戸が閉じた状態の隙間遮蔽装置の開き戸の巾方向の縦断面図である。
【図８】開き戸が閉じた状態の隙間遮蔽装置の開き戸の厚さ方向の縦断面図である。
【図９】開き戸が開いた状態の戸先側の縦断面図である。
【図１０】開き戸が開いた状態の吊元側の縦断面図である。
【図１１】開き戸が開いた状態の吊元側の別の出没子を示す縦断面図である。
【図１２】開き戸が開いた状態の吊元側の別の出没子を示す縦断面図である。
【図１３】隙間遮蔽装置の一部切欠き分解斜視図である。
【図１４】隙間遮蔽装置の戸先側の一部切欠き要部拡大斜視図である。
【図１５】隙間遮蔽装置のガイド取付け部の一部切欠き要部拡大斜視図である。
【図１６】隙間遮蔽装置の別のガイド取付け部の一部切欠き要部拡大斜視図である。
【符号の説明】
１    開き戸
２    ケース
３    遮蔽部材
４    竪枠
５    出没子
６    スライドパイプ
７    ガイドパイプ
８    コイルばね
９    遮蔽部材固定枠
１０  ガイド
１１  床
１２  壁
１３  支持杆
１４  溝
１５  ネジ穴
１６  ネジ
１７  蝶番
１８  雌ネジ
１９  雄ネジ
２０  戸当り
２１  ナット
２２  ビス
２３  孔
２４  竪框
２５  ビス穴
２６  貫通孔
【図１】
2004316233.tif 000003
【図２】
2004316233.tif 000004
【図３】
2004316233.tif 000005
【図４】
2004316233.tif 000006
【図５】
2004316233.tif 000007
【図６】
2004316233.tif 000008
【図７】
2004316233.tif 000009
【図８】
2004316233.tif 000010
【図９】
2004316233.tif 000011
【図１０】
2004316233.tif 000012
【図１１】
2004316233.tif 000013
【図１２】
2004316233.tif 000014
【図１３】
2004316233.tif 000015
【図１４】
2004316233.tif 000016
【図１５】
2004316233.tif 000017
【図１６】
2004316233.tif 000018